(57)【特許請求の範囲】
【請求項１】
ディスクを収納するディスク収納ケースの端部に設けられ、透明の背面板の内面に沿って外部に開放する空間部を有してなるディスク収納ケースに用いるタイトル表示具であって、
前記空間部内に挿入するシート状部材からなるタイトル表示部材と、該タイトル表示部材を前記空間部内に支持する支持部材とを備え、
前記タイトル表示部材は、折り曲げ部によって区分けされたタイトルの表記が可能な背表紙部を備え、
前記支持部材は、弾性を有する素材によって構成される、一対の対向する長辺部と該長辺部の両端に設けられる一対の短辺部を備え、前記ディスク収納ケースの前記空間部内に配置されたときに前記一対の長辺部の弾性によって前記空間部内に係止されるとともに、前記空間部内に挿入された前記タイトル表示部材の背表紙部を前記ディスク収納ケースの前記背面板の内面に対面させることを特徴とするディスク収納ケースのタイトル表示具。
【請求項２】
前記タイトル表示部材は透明材によって構成され、前記支持部材は形状及び大きさが同一で色彩が異なる複数種類が備えられていることを特徴とする請求項１記載のディスク収納ケースのタイトル表示具。
【発明の詳細な説明】
【０００１】
【発明の属する技術分野】
本発明は、ＣＤ−Ｒ(Compact Disk Recordable)等のディスクを収納するディスク収納ケースに装着してディスクに記録されたデータのタイトルを表示するタイトル表示具に関する。
【０００２】
【従来の技術】
ＣＤ−Ｒ、ＤＶＤ−Ｒ等の光ディスクは、データの記録容量が多く、記録されたデータを誤って消去してしまう危険がない等の特徴から、コンピュータ装置の外部記録メディアとして、企業内では、重要な文書の保管やバックアップに、また個人レベルでは、自分だけのオリジナル音楽ＣＤの作成や、ソフトやデータのバックアップなどの目的で大量に使用されている。
【０００３】
そして、データを記録した光ディスクのレーベル面に記録データのタイトルを表記するとともに、記録済のディスクの整理や管理に役立てるべく、ディスクを収納するディスク収納ケースにも同様にタイトルを表記している。
【０００４】
ところで、例えば、ＣＤ−Ｒを収納するディスク収納ケースにはケースの厚さが１０ｍｍ程度の比較的厚型のものが従来から使用されていたが、最近ではケースの厚さが７ｍｍのもの、あるいは５ｍｍのもの等の薄型のものが普及している。
【０００５】
前記薄型の収納ケースは、ディスクを保持するディスク係止部が形成された下ケースと、この下ケースを覆う上ケースとで構成されており、上ケースの裏面に紙製の表カードが取り外し可能に挿入されている。そして、この表カードにユーザが筆記具を用いる手書きによってディスクに記録されているタイトルを記入するようにしている。
【０００６】
また、他の表カードとして、上ケースの裏面に配置される表カードの端部にミシン目からなる折り曲げ線を介して上ケースの端部の背面板部分の裏側に配置される背表紙部を備えたものもある。この表カードでは、背表紙部にも同様にタイトルを手書きによって記入して使用する。
【０００７】
【発明が解決しようとする課題】
従来の表カードを用いたディスク収納ケースのタイトル表示手法においては、まず、前者の表カードでは、上ケースの表面側にタイトル表示がなされるため、複数枚のディスク収納ケースを縦置きあるいは横置きに重ね置くと、タイトル表示が隠れてしまって確認できないという問題がある。
【０００８】
また、後者の表カードにあっては、ミシン目から背表紙部を折り曲げて表カードの端部で起立させ、直角の角度で設けられる上ケースの本体部分の内面と上ケースの背面板部分の内面に沿って配置しようとするものの、薄手の紙材のために背表紙部の曲げ角度を直角にすることが難しく、且つ直角の曲げ角度が出てもその状態を保持することが難しく、また表カード自体のサイズが上ケースに比べて小さく形成されていて上ケースの本体部分の内面で移動することにより、表カードの背表紙部が上ケースの背面板部分の内面から離れた位置に背面板部分とは斜めの状態で配置されてしまうようなことが生じる。このため、背表紙としての視認性が低下してしまうという問題がある。
【０００９】
また、ＣＤ−Ｒ等の追記型の光ディスクでは、データを追加して記録することが行われるが、データの追加に応じてタイトルを修正しあるいは追記する場合に、上ケースを開け表カードを取り外して再記入の後に上ケースの裏面に再装着する等の手間を要する問題もあった。
【００１０】
本発明は、上記課題を解決するためになされたものであり、ディスク収納ケースに対して視認性のよいタイトル表示を行なうことが可能であり、またディスク収納ケースに簡単に装着することができて取り扱いに便利なタイトル表示具を提供することを目的とする。
【００１１】
【課題を解決するための手段】
請求項１に記載の発明は、ディスクを収納するディスク収納ケースの端部に設けられ、透明の背面板の内面に沿って外部に開放する空間部を有してなるディスク収納ケースに用いるタイトル表示具であって、前記空間部内に挿入するシート状部材からなるタイトル表示部材と、該タイトル表示部材を前記空間部内に支持する支持部材とを備え、前記タイトル表示部材は、折り曲げ部によって区分けされたタイトルの表記が可能な背表紙部を備え、前記支持部材は、弾性を有する素材によって構成される、一対の対向する長辺部と該長辺部の両端に設けられる一対の短辺部を備え、前記ディスク収納ケースの前記空間部内に配置されたときに前記一対の長辺部の弾性によって前記空間部内に係止されるとともに、前記空間部内に挿入された前記タイトル表示部材の背表紙部を前記ディスク収納ケースの前記背面板の内面に対面させることを特徴としている。
【００１３】
請求項２に記載の発明は、前記タイトル表示部材が透明材によって構成され、前記支持部材は形状及び大きさが同一で色彩が異なる複数種類が備えられていることを特徴としている
【００１６】
【発明の実施の形態】
以下、本発明の実施の形態について図面を参照して説明する。
図１には本発明の一実施形態に係るタイトル表示具を示してあり、このタイトル表示具はシート状部材からなるタイトル表示部材２７と、弾性変形可能な支持部材９２とを備えている。
【００１７】
このタイトル表示具はディスク収納ケース８０に装着して使用するもので、そのディスク収納ケース８０の展開状態の平面図を図２に示してある。この収納ケース８０はそれぞれプラスチックからなる上ケース８１と下ケース８２とで構成され、少なくとも上ケース８１が透明なプラスチックとなっている。
【００１８】
上ケース８１には、一端側縁部に背面板８３が一体に起立形成されていると共に、両側縁部に前記背面板８３の端部に一体に連なる側面板８４が起立形成されている。
【００１９】
また、下ケース８２の一端側の両側部には脚片８５が一体に突出形成され、これら脚片８５が前記側面板８４の外面に重なるように配置されている。そして各脚片８５の内面に僅かな長さのピン８６が突出形成され、これらピン８６が前記側面板８４に形成された円孔８４ａ内に回動自在に嵌合され、これらピン８６と円孔８４ａとで上ケース８１と下ケース８２とを回動自在に連結するヒンジ機構８７が構成され、これにより下ケース８２に対して上ケース８１を回動して閉じ合わせ、また逆方向に回動して展開することができるようになっている。
【００２０】
下ケース８２の内面にはディスク１４を係止する係止部８８が設けられ、この係止部８８にディスク１４の円孔を差し込んで固定することができるようになっている。
【００２１】
上ケース８１と下ケース８２とを閉じ合わせたときの状態を図１および図３に示してあり、この閉じ合わせ状態においては、上ケース８１の背面板８３と下ケース８２の一端側の縁部８２ａとは互いに離間し、その背面板８３と下ケース８２の縁部８２ａとの間が開放部８９として開口し、下ケース８２の背面板８３および側面板８４の内側の空間部９１がその開放部８９を通して外部に開放されている。すなわち、前記空間部９１は、ディスク収納ケース８０の端部に設けられ、透明な背面板８３の内面に沿って外部に開放する形態となっている。
【００２２】
図４および図５には、一対のタイトル表示部材２７が組み合わされた表示シート２６を示してある。この表示シート２６は、短冊状をなし、シート基材３０と、このシート基材３０の片面に接着剤２８を介して剥離可能に貼り付けられた台紙２９とからなる。
【００２３】
シート基材３０は例えばＰＥＴ（ポリエチレンテレフタレート）樹脂からなる透明なフィルムで、台紙２９は上質紙からなり、また接着剤２８は例えば感圧接着糊であり、この接着剤２８は台紙２９に塗布され、接着剤２８と接するシート基材２７の裏面にはシリコン樹脂がコーティング処理されている。そして台紙２９の上に接着剤２８を介してシート基材３０が重ね合わされ、かつその台紙２９およびシート基材３０が加圧され、これにより台紙２９にシート基材３０が剥離可能に接着されている。そして、シート基材３０を台紙２９から剥離したときには、接着剤２８が台紙２９に残り、シート基材３０の裏面は非粘着状態となるものである。
【００２４】
シート基材３０の長手方向に沿う中心線上には切込み線３２が形成されている。この切込み線３２はハーフカットすなわち切込みの深さがシート基材３０の表面から裏面に達するのみで、台紙２９には達しない形態となっている。
【００２５】
シート基材３０は切込み線３２を境として２つのタイトル表示部材２７に分けられており、その２つのタイトル表示部材２７を個々に台紙２９から剥し取ることができるようになっている。すなわち、台紙２９の上には２枚のタイトル表示部材２７が貼り付けられた形態となっている。
【００２６】
このタイトル表示部材２７はディスクを収納するディスク収納ケースに装着され背表紙および表表紙としてタイトルなどを表示するために用いるものである。
【００２７】
各タイトル表示部材２７には、切込み線３２の両側に位置してミシン目からなる折り曲げ部３３が切込み線３２と平行に形成されている。そして各タイトル表示部材２７における折り曲げ部３３を境とする一方側の幅の狭い方がディスク収納ケースに装着されたときに背表紙となる背表紙部３５ａで、他方側の幅の広い方がディスク収納ケースに装着されたときに表表紙となる表表紙部３５ｂとなっている。
【００２８】
また、前記タイトル表示部材２７は、例えば、厚さが５ｍｍあるいは７ｍｍのディスク収納ケースのタイトル表示用として用いるものであり、そのディスク収納ケースのサイズに対応させて、幅が約１６ｍｍで長さが約１１８ｍｍの短冊形状とし、背表紙部３５の幅を約４ｍｍとし、表表紙部３５ｂの幅を約１２ｍｍとしている。また、表示シート２６の総厚を約０．２ｍｍとしている。
【００２９】
タイトル表示部材２７の表面には、手書きで、あるいは印字装置を用いてＣＤ−Ｒなどのディスクのタイトルを表記する。図６および図７にはその印字装置１の一例を示してあり、この印字装置１はディスク１４のレーベル面に対してタイトルなどの文字列を印字することができるとともに、前記タイトル表示部材７の表面に対してタイトルの文字列を印字することができるようになっている。
【００３０】
この印字装置１は、装置本体１ａを備え、この印字装置１の前面部分に開口部２が設けられ、この開口部２にその開閉用のカバー３が回動可能に設けられている。
印字装置１内には支持手段としてのトレイ５が設けられ、このトレイ５がイジェクトボタン６の操作に応じて装置本体１ａ内から突没するようになっている。また、装置本体１ａ内には印字手段８が設けられ、この印字手段８は、ガイドシャフト９に走行自在に設けられたキャリッジ１０を有し、このキャリッジ１０の前面にヘッドカバー１１が突出形成され、このヘッドカバー１１の下面に印字ヘッドとしてのサーマルヘッド（図１０に示す４２）が設けられている。そしてキャリッジ１０の前面のヘッドカバー１１の外周部に、インクリボンを収容したリボンカートリッジ１２が着脱可能に装着されている。
【００３１】
キャリッジ１０内には、図示しないがキャリッジ１０の走行駆動機構、サーマルヘッドのヘッド移動機構、インクリボンの巻取り機構などが設けられ、これら各機構の駆動源となる駆動モータがキャリッジ１０の背面に取り付けられている。
【００３２】
前記サーマルヘッド４２は、リボンカートリッジ１２から繰り出されるインクリボン（図示せず）を挟んで印字対象物の表面に圧接し、この状態でキャリッジ１０と一体にガイドシャフト９に沿って装置本体１ａの幅方向に移動し、この移動中にインクリボンのインクを溶融しながら印字対象物の表面に所定の像を熱転写する方式で印字を行なうようになっている。そしてサーマルヘッド４２の移動範囲が印字範囲となる。
【００３３】
前記トレイ５の上面にはＣＤ−Ｒなどのディスク１４を載置するための載置部１５が設けられ、この載置部１５にはゴムなどの弾性体からなる緩衝シート１６が貼り付けられ、この緩衝シート１６の周縁部の二箇所にはディスク１４の周縁部と当接して位置決めする円弧状のリブ１７が設けられている。また、トレイ５の上面には、載置部１５とは離間して一対の位置決め用の突起１８が設けられている。
図７ないし図９には、タイトル表示部材２７にディスク１４のタイトルを印字する際に使用する印字補助装置２０を示してあり、この印字補助装置２０は、前記トレイ５の上に載置が可能な矩形のプレート状をなす載置台２１を有し、この載置台２１はポリカーボネイトなどの合成樹脂からなり、前部側の一側縁には、位置合わせ部としての突条２２がその一体に形成されている。この突条２２は載置台２１の一側縁の上面に一定の高さで起立し、かつその一側縁に沿って連続して延びるように形成されている。
【００３４】
そしてこの突条２２の上面には、係止部として、一定の間隔をあけて平行に並ぶ一対のクリップ部材２３が設けられ、これらクリップ部材２３はその先端部が載置台２１の上面側に延びてその上面に弾性的に接触している。
【００３５】
載置台２１の両側部寄りには、トレイ５の上面に設けられたリブ１７に嵌合可能な円弧状をなす位置決め用の係合部としての透孔２４が形成され、また載置台２１の後部側の他側縁部には、トレイ５の上面に設けられた突起１８に嵌合可能なＵ字状をなす位置決め用の係合部としての切欠２５が形成されている。
前記印字装置１はパーソナルコンピュータ４０に接続して使用する。図１０には印字装置１およびパーソナルコンピュータ４０の電気回路の構成を示してある。
【００３６】
印字装置１はコントローラ５１を備え、このコントローラ５１はインターフェイス（Ｉ／Ｆ）５２を介してＵＳＢケーブル４１に接続され、このＵＳＢケーブル４１を介して印字装置１がパーソナルコンピュータ（ＰＣ）４０に接続されている。
【００３７】
前記コントローラ５１には、ＲＯＭ５３及びＲＡＭ５４が備えられ、ＲＯＭ５３には、前記パーソナルコンピュータ４０からの印字制御信号に応じて当該印字装置１の各部の動作を制御するためのシステムプログラムなどのプログラムデータが格納され、また、ＲＡＭ５４には、前記パーソナルコンピュータ４０から送信された印字データを格納するための印字データメモリ５４ａが備えられている。
【００３８】
また、コントローラ５１には、ヘッドドライバ５５を介してサーマルヘッド４２が接続され、モータドライバ５６を介してステッピングモータＭが接続されている。このステッピングモータＭは前述したキャリッジ１０に搭載された駆動モータであり、キャリッジ１０の走行駆動機構、サーマルヘッドの移動機構、およびインクリボンの巻取り機構の駆動源となるものである。
【００３９】
コントローラ５１は、前記パーソナルコンピュータ４０から送信される印字制御信号に応じてヘッド制御信号をヘッドドライバ５５に出力してサーマルヘッド４２を駆動させる。
【００４０】
一方、パーソナルコンピュータ（ＰＣ）４０はＣＰＵ６１を備え、このＣＰＵ６１は、ハードディスクからなる記憶装置６２に格納されたシステムプログラムに従って、ＲＡＭ６３をワークメモリとして各部の動作を制御する。
【００４１】
前記記憶装置６２には、このパーソナルコンピュータ４０の全体の動作を司るシステムプログラムが予め記憶されていると共に、本実施形態の前記印字装置１に対する印字制御プログラムなど、種々のアプリケーションプログラムや必要なデータが格納されている。
【００４２】
前記ＲＡＭ６３には、各種アプリケーションプログラムの実行に応じた作業用メモリが備えられ、前記印字装置１に対する印字制御プログラムの実行作業用メモリとしては、ディスク１４のレーベル印字面に印字するべく作成編集された印字データが格納される印字データメモリ６３ａが備えられている。
【００４３】
そして、ＣＰＵ６１には、前記記憶装置６２、ＲＡＭ６３が接続されている他に、インターフェイス（Ｉ／Ｆ）６４を介して前記印字装置１との接続を図るＵＳＢケーブル４１が接続され、また、キーボードコントローラ６５を介してキーボード４３が、表示コントローラ６６を介して表示装置４４が接続されている。
【００４４】
この印字装置１では、入力された文字列をタイトル表示部材２７に正像で印字する通常印字モード、入力された文字列をタイトル表示部材２７に鏡像で印字するミラー印字モード、テスト印字を行なうテスト印字モードの各印字モードを備えている。
【００４５】
また、この印字装置１では、タイトル表示部材２７の背表紙部３５ａ及び表表紙部３５ｂの双方に印字し、あるいは背表紙部３５ａ又は表表紙部３５ｂの一方だけに印字することが可能であり、その情報はキーボード４３から背表紙部３５ａ及び表表紙部３５ｂの夫々に印字すべき同一又は異なる文字列として個別に入力する。
【００４６】
入力された文字列は、背表紙部３５ａ及び表表紙部３５ｂに対応して自動的に印字する文字サイズが設定される。図９に図示するように、幅Ｗと長さＬで表される領域がサーマルヘッドの印字可能領域であり、この中で背表紙部３５ａに対する印刷領域は幅Ｗ１と長さＬで表される部分であり、表表紙部３５ｂに対する印刷領域は幅Ｗ２と長さＬで表される部分である。前述のように、Ｗ１は４ｍｍ、Ｗ２は１２ｍｍであり、また、Ｗは１６ｍｍ、Ｌは７４ｍｍとなっている。したがって、背表紙部３５ａと表表紙部３５ｂの印刷領域とは大小異なるため、印字すべき文字列の文字サイズは、背表紙部３５ａではその領域内に収まる相対的に小さな文字サイズが設定され、また表表紙部３５ｂでは相対的に大きな文字サイズが設定される。
【００４７】
また、縦書き又は横書きなどの書式設定や書体の設定、あるいは文字列の配置を印字可能領域の中央にしたり左右に寄せたりする行修飾等も適宜設定可能になっている。
【００４８】
この印字装置１を用いてディスク１４の表面にタイトルなどを印字する際には、イジェクトボタン６を操作して図６に示すように、トレイ５を装置本体１ａから突出させる。そしてトレイ５の載置部１５の上にディスク１４を載置し、リブ１７を介して位置決めし、この状態でイジェクトボタン６を操作してトレイ５を装置本体１ａ内に挿入し、印字動作を開始させる。
【００４９】
印字動作時には、印字手段８のサーマルヘッドがインクリボンを挟んでディスク１４の表面に圧接すると共にキャリッジ１０がガイドシャフト９に沿って装置本体１ａの幅方向に移動し、これによりディスク１４の表面の所定の短冊状領域に所定の文字列が印字される。印字後には、サーマルヘッドがディスク１４の表面から離間すると共にキャリッジ１０が逆方向に移動して当初のホームポジションに戻る。これによりディスク１４に対する印字が完了する。
【００５０】
一方、タイトル表示部材２７にディスク１４のタイトルを印字する際には、まず図８に示すように、印字補助装置２０における載置台２１の上に表示シート２６をその切込み線３２が突条２２と平行になるように乗せると共に、表示シート２６の一側縁を突条２２の内側に当てて位置決めし、この表示シート２６を載置台２１とクリップ部材２３とで弾性的に挟んで固定する。
【００５１】
次に、印字補助装置２０を印字装置１のトレイ５の上に乗せ、透孔３４をリブ１７に、また切欠２５を突起１８にそれぞれ嵌合して位置決めする。この後、トレイ５を装置本体１ａ内に挿入し、印字動作を開始させる。
【００５２】
印字動作時には、印字手段８のサーマルヘッド４２がインクリボンを挟んで表示シート２６の一方のタイトル表示部材２７の表面に圧接すると共にキャリッジ１０がガイドシャフト９に沿って装置本体１ａの横幅方向に移動し、これによりタイトル表示部材２７の表面の所定の領域に所定の文字列が印字される。印字後には、サーマルヘッド４２がディスク１４の表面から離間すると共にキャリッジ１０が逆方向に移動して当初のホームポジションに戻る。これによりタイトル表示部材２７に対する印字が完了する。
【００５３】
タイトル表示部材２７の表面には、設定に応じて、正像、鏡像、異なる文字サイズの文字列が印字され、またタイトル表示部材２７の背表紙部３５ａおよび表表紙部３５ｂの双方、もしくはそのいずれか一方に文字列が印字される。
【００５４】
印字処理の流れを図１１に示すフローチャートを参照してさらに説明すると、まずキーボード４３から文字列が入力される。そして、印字モード等の各種設定の後に印字が指示されると、設定された印字モードを判断し（ステップＳ１）、その印字モードに応じて印字データメモリ６３ａに印字データを作成する。
【００５５】
この印字データは、前記通常印字モードの場合には正像で、前記ミラー印字モードの場合には鏡像でそれぞれ文字パターンを展開して作成されることになる（ステップＳ２、Ｓ３）。この場合、表示シート２６の背表紙部３５ａ及び表表紙部３５ｂの双方に印字する場合にはそれらの文字列が合わせて展開される。パーソナルコンピュータ４０で作成された印字データはインターフェイス（Ｉ／Ｆ）６４を介して印字装置１に転送する（ステップＳ４）。
【００５６】
印字装置１では、パーソナルコンピュータ４０から転送された印字データを印字データメモリ５４ａに格納し、この印字データを１ラインづつ転送してサーマルヘッド４２を駆動するとともに、ステッピングモータＭを駆動して印字出力する（ステップＳ５）。
【００５７】
一方、前記テスト印字モードが設定されたときには、前記記憶装置６２からテストパターンデータを読み出し、このテストパターンデータを印字装置１に転送しこれを所定の記録用紙に印字してテスト印字を行なう（ステップＳ６、Ｓ７、Ｓ８）。このテスト印字は、サーマルヘッド４２の印字ドットの位置ずれを調整するためのものであり、特に、前記タイトル表示部材２７の背表紙部３５ａは幅が狭いため、その背表紙部３５ａ内にバランスよく印字するために印字位置のずれを確認することが必要となる。
【００５８】
このテスト印字の際には、図１２に示すような専用のテスト印字シート７０を使用し、そのシート７０が印字補助装置２０を介してトレイ５にセットされた状態でテストパターンを印字してテスト印字が行われる。
【００５９】
図１２に示すように、テスト印字シート７０には、トレイ５にセットされた状態で、サーマルヘッド４２の発熱素子列の配列方向と直交するサーマルヘッド４２の移動方向に合わせて基準線７１が予め印刷されている。そして、サーマルヘッド４２により印刷されるテストパターンは、図示のように、サーマルヘッド４２の複数個の所定位置の発熱素子によってずれ量の目盛線７２として印刷され、且つ各目盛線に目盛数値が附記されて印刷されるものである。図では、基準線７１とずれ量の「−１」の目盛線とが一致する場合を示しており、これは実際の印字が基準より下方向に「−１」のずれ量分だけずれていることを示している。なお、ずれ量のゼロ目盛「０」が基準線７１と一致すればずれはないことになる。
【００６０】
前記印字装置１では、テスト印字モードによって確認されたサーマルヘッド４２の印字位置のずれを補正する印字データのシフト調整機能を有する。前記テスト印字によってずれ量が明らかになると、パーソナルコンピュータ４０でサーマルヘッド４２の印字位置のシフト量を設定することができる。この設定は、例えばパーソナルコンピュータ４０の表示装置４４上でキーボード４３を使ってシフト量を「−１」、「＋１」等の段階数値で入力することにより行なう。図１２の場合では、下方向に「−１」のずれがあるので、これを補正するべく上方向に印字位置を移動する「＋１」のシフト量を設定することになる。
【００６１】
これによりパーソナルコンピュータ４０では、サーマルヘッド４２の発熱素子列に沿った方向、すなわち印字出力するタイトル表示部材２７の縦（幅）方向に対応した方向に、設定したシフト段階数に応じたドット数分だけシフトした印字データを作成する。なお、サーマルヘッド４２の発熱素子列の幅は１６ｍｍとなっている。
【００６２】
印字データのシフト調整は、印字装置１側で行ってもよい。その場合には、パーソナルコンピュータ４０から印字データ及び設定したシフト量を表すシフト情報を印字装置１に転送し、印字装置１ではパーソナルコンピュータ４０から受けた印字データをシフト情報に基づいてシフト処理し、この処理した印字データを１ラインづつサーマルヘッド４２に転送して印字を行なう。
【００６３】
表示シート２６には、２つのタイトル表示部材２７が設けられており、したがってその一方のタイトル表示部材２７に対する印字が終了した後には、表示シート２６を１８０°回転させて一方のタイトル表示部材２７と他方のタイトル表示部材２７との位置を反転させ、この状態で再度表示シート２６を印字補助装置２０にセットし、前述と同様の手順でその他方のタイトル表示部材２７の表面に所定の文字列を印字する。
【００６４】
トレイ５の上にディスク１４を乗せて支持したときのディスク１４の表面（印字面）の高さの位置と、トレイ５の上に印字補助装置２０を介して表示シート２６を乗せて支持したときの表示シート２６の表面（印字面）とがほぼ同じになるように設定されている。すなわち、ディスク１４の厚さは１．２ｍｍ、印字補助装置２０の載置台２１の厚さは約１．０ｍｍ、表示シート２６の厚さは約０．２ｍｍとなっており、これによりディスク１４および表示シート２６のいずれに対してもその表面に適正に文字列を印字することができる。
【００６５】
タイトル表示部材２７に所定の文字列を印字した後には、そのタイトル表示部材２７を台紙２９から切込み線３２に沿って剥し取る。
【００６６】
そしてこのタイトル表示部材２７に印字されている文字列が正像である場合には、図１に示すようにその文字列が表側（外側）となるように、タイトル表示部材２７を折り曲げ部３３に沿ってほぼ直角に折り曲げる。そしてこの折り曲げたタイトル表示部材２７を前記収納ケース８０における空間部９１内に前記開放部８９を通して挿入し、背表紙部３５ａの印字文字列の表記面を前記背面板８３の内面に当て、表表紙部３６ｂの印字文字列の表記面を上ケース８１の上側内面に当てる。
【００６７】
この後、空間部９１内に挿入されたタイトル表示部材２７を空間部９１内に保持するための支持部材９２を空間部９１内に挿入して前記タイトル表示部材２７の内側に配置させる。
【００６８】
この支持部材９２は、ポリプロピレンなどの弾性を有する合成樹脂により一方向に長い矩形の環状に形成されている。すなわちこの支持部材９２は互いに対向する一対の長辺部９２ａとこれら長辺部９２ａの両端部をつなぐ一対の短辺部９２ｂとから一方向に長い矩形の環状に形成されている。
【００６９】
そしてこの支持部材９２を空間部９１内に挿入する際には、図１に示すように長辺部９２ａの中間部を外側から手先で摘んで内側にその弾性力に抗して湾曲させる。長辺部９２ａの湾曲により支持部材９２の長手方向の長さが短縮するから、この状態で支持部材９２を前記開放部８９を通して収納ケース８０の空間部９１内に挿入し、この挿入後に支持部材９２から手先を離す。これに応じて長辺部９２ａが直線状に復元してタイトル表示部材２７における背表紙部３５ａを介して上ケース８１における背面板８３の内面に圧着すると共に、支持部材９２の全体が長手方向に延びて短辺部９２ｂが上ケース８１における側面板４の内面に圧着し、これにより空間部９１内にタイトル表示部材２７および支持部材９２が係止され、その脱落が防止される。
【００７０】
このように収納ケース８０の空間部９１内にタイトル表示部材２７を挿入することにより、その背表紙部３５に表記されている文字列を上ケース８１の背面板８３を通して外部から見ることができ、また表表紙部３５ｂに表記されている文字列を上ケース８１の上面板を通して外部から見ることができる。
【００７１】
また、前記支持部材９２としては、赤、黄色、青、緑などの色彩に着色されものが複数用意されており、前記上ケース８１の背面板８３は透明体であり、前記タイトル表示部材２７も透明体であることから、支持部材９２に施されている色彩が収納ケース８０の背面板８３を透して視認できる。複数の色の中から所望の色の支持部材９２を選択して使用することで、ディスク１４に記録するデータのジャンルに応じて色分けできてディスクの整理や管理に便利である。
【００７２】
前記表示シート２６に残っている他方のタイトル表示部材２７は、台紙２９から剥し取り、別の収納ケース８０における空間部９１内に同様の手順で挿入する。
【００７３】
一方、タイトル表示部材２７の表面に鏡像の文字列が印字されている場合には、その文字列が内側となるように、タイトル表示部材２７を折り曲げ部３３に沿ってほぼ直角に折り曲げ、この状態で収納ケース８０の空間部９１内に前述と同様の手順で挿入し支持部材９２によって保持する。この場合、文字列は鏡像であるが、この鏡像の文字列は透明なタイトル表示部材２７を通して収納ケース８０の外部に表わされるから、外部からその文字列を見たときには鏡像が正像となり、したがってその内容を読み取ることができる。
【００７４】
上記の例では、支持部材９２を用いることで収納ケース８０の空間部９１からタイトル表示部材２７が脱落するのを防いでいたが、支持部材９２を用いることなく、収納ケース８０に直接接着するようにしてもよい。前記の説明では、タイトル表示部材２７を台紙２９から剥し取るときに、接着剤２８が台紙２９に残る形態としたが、台紙２９上にシリコン樹脂をコーティング処理して接着剤２８がタイトル表示部材２７の裏面に残る形態とする。
【００７５】
この場合、タイトル表示部材２７の表面に鏡像の文字列を印字し、タイトル表示部材２７を台紙２９から剥し取ったときに、このタイトル表示部材２７をその文字列が内側（裏側）に配置し、接着剤２８が外側（表側）に配置するように、折り曲げ部３３に沿ってほぼ直角に折り曲げ、この状態でタイトル表示部材２７を収納ケース８０の空間部９１内に挿入すれば、その接着剤２８の面が上ケース８１における背面板８３および上ケース８１の上面板８１ａの内面の端部に接触して接着され、したがってタイトル表示部材２７を確実に空間部９１内に保持することができる。
【００７６】
この場合、接着剤２８を塗布する領域は、タイトル表示部材２７の片面の全域であっても、一部の範囲の部分であってもよい。
【００７７】
前記表示シート２６は、例えば１０枚程度をまとめ、前記支持部材９２も５色程度の色違いのものを２個づつ程度をまとめたものを組にして包装して印字装置１の付属品として提供され、又は複数枚の表示シート２６および色違いの複数個の支持部材９２を夫々個別にし、あるいは組み合わせて別売りの消耗品としてユーザに提供されるものである。また、前述の印字位置１をシフト調整するためのテスト印字用シート７０は、例えば複数枚がその表示シート２６に同梱されてユーザに提供される。
【００７８】
そしてタイトル表示部材２７としては、形状及び大きさが同一で色彩が異なる複数種類のものが用意されており、好みや分類用途に応じる色彩のタイトル表示部材２７を選択して使用することができるようになっている。
【００７９】
さらに、表示シートに印字する文字列の試し印字を行なうための試し印字用シートを同梱で提供するようにしてもよい。このシートは、表面に感熱発色層が設けられたれを感熱シートによって構成され、表示シート２６と同様のサイズで背表紙部３５ａと表表紙部３５ｂとが設けられている。このシートを用いることで、インクリボンを用いることなく試し印字を行なうことができ、インクリボンの節約が可能になって経済的である。
【００８０】
さらに、支持部材９２においても、形状及び大きさが同一で色彩が異なる複数種類のものが用意されており、整理や管理の利便性を考慮してディスクに記録したデータの内容に応じて任意の色彩の支持部材９２を選択して使用することができるようになっている。
【００８１】
図１３および図１４には印字補助装置２０の変形例を示してあり、この印字補助装置２０においては、載置台２１の上に突条２２に隣接して位置合わせ部を兼ねる可動部材９３が設けられている。
【００８２】
この可動部材９３は両端側下部にガイド体９４を有し、載置台２１にはこれらガイド体９４に対応するガイド溝９５が形成され、これらガイド溝９５内にガイド体９４がスライド自在に嵌合され、そのスライド動作により可動部材９３が前記突条２２と平行を保って突条２２に対して接離する方向に移動するようになっている。そしてこの可動部材９３に表示シート２６を固定するためのクリップ部材２３が設けられている。
【００８３】
また突条２２の中間部には、その外面側から調整ねじ９６が螺挿され、この調整ねじ９６の先端部が可動部材９３に回動自在に連結され、かつ調整ねじ９６の外周には突条２２と可動部材９３との間に配置するようにコイルばね９７が配設され、このコイルばね９７により可動部材９３が突条２２から離間する方向に弾性的に付勢されている。
【００８４】
調整ねじ９６の頭部には摘み９８が設けられ、この摘み９８の外周面の一部に指標９８ａが施され、この指標９８ａに対応する目盛９８ｂが突条２２の外面に施されている。
この印字補助装置２０を用いる場合には、まず載置台２１の上にテスト印字シート７０を乗せ、その一側縁を可動部材９３の内側に当てて位置決めし、かつクリップ部材２３で固定する。そして印字補助装置２０を印字装置１のトレイ５の上に乗せ、透孔３４をリブ１７に、また切欠２５を突起１８にそれぞれ嵌合して位置決めし、この後、トレイ５を装置本体１ａ内に挿入し、印字動作を開始させ、テスト印字シート７０の表面に所定の文字列を印字する。
【００８５】
この際、印字した文字列がテスト印字シート７０の基準線７１に対してずれているときには、調整ねじ９６を回動して可動部材９３を移動させ、その移動量がずれ量と対応するように目盛９８ｂに基づいて調整する。
【００８６】
この後、図１４に示すように、テスト印字シート７０に代えて表示シート２６を載置台２１の上に乗せ、その一側縁を可動部材９３の内側に当てて位置決めし、かつクリップ部材２３で固定し、トレイ５を装置本体１ａ内に挿入し、印字動作を開始させ、表示シート２６のタイトル表示部材２７の表面に所定の文字列を印字する。
【００８７】
このような手順によれば、タイトル表示部材２７の表面の所定の位置にずれのない文字列を印字することができる。
【００８８】
図１５には表示シート２６の変形例を示してあり、この表示シート２６はシート基材３０のみからなり、台紙および接着剤が省かれている。そしてシート基材３０の中心線上にその表面から肉厚の途中にまで達する深さの切込み線３２が形成され、この切込み線３２によりシート基材３０が２つのタイトル表示部材２７に分けられ、これらタイトル表示部材２７にミシン目からなる折り曲げ部３３が切込み線３２と平行に形成されている。
【００８９】
このような表示シート２６においても、タイトル表示部材２７にタイトルを手書きで、あるいは前記印字装置１を用いて表記し、そのタイトル表示部材２７を切込み線３２に沿って切り離し、さらに折り曲げ部３３を境にほぼ直角に折り曲げてディスク収納ケース８０の空間部９１内に挿入して使用することができる。
【００９０】
【発明の効果】
請求項１の発明によれば、ディスク収納ケースの空間部内に挿入したタイトル表示部材を支持部材で的確に支持してそのずれ動きを防止でき、またタイトル表示部材の背表紙部をディスク収納ケースの背面板の内面に安定して対面させることができ、したがって視認性のよいタイトル表示を行なえ、またディスク収納ケースに対しタイトル表示部材を簡単に装着することができる。そして、支持部材の弾性を利用して支持部材をディスク収納ケースの空間部内に係止することができる。また、請求項２の発明によれば、色彩の異なる複数種類のタイトル表示部材のうちから好みの色のタイトル表示部材を選んでディスク収納ケースに装着することができる。
【００９２】
請求項５の発明によれば、色彩の異なる複数種類のタイトル表示具のうちから好みの色のタイトル表示具を選んでディスク収納ケースに装着することができる。
【図面の簡単な説明】
【図１】本発明の一実施形態を示し、ディスク収納ケースの空間部内にタイトル表示部材および支持部材を挿入するときの状態を示す斜視図。
【図２】ディスク収納ケースの展開状態の平面図。
【図３】ディスク収納ケースの閉じ合わせ時におけるその収納ケースの一部の断面図。
【図４】表示シートの平面図。
【図５】表示シートの側面図。
【図６】印字装置とディスクとを示す斜視図。
【図７】印字装置と印字補助装置とを示す斜視図。
【図８】印字補助装置に表示シートを装着した状態の斜視図。
【図９】印字補助装置に表示シートを装着し、その表示シートに文字列を印字したときの状態を示す平面図。
【図１０】印字装置とパーソナルコンピュータの電気回路の構成を示すブロック図。
【図１１】印字処理時の流れを示すフローチャート。
【図１２】テスト印字シートを示す平面図。
【図１３】印字補助装置の変形例を示す斜視図。
【図１４】その印字補助装置の上に表示シートを装着したときの状態を示す斜視図。
【図１５】表示シートの変形例を示す側面図。
【符号の説明】
１…印字装置
５…トレイ
８…印字手段
１０…キャリッジ
１２…リボンカートリッジ
１４…ディスク
２０…印字補助装置
２１…載置台
２６…表示シート
２７…タイトル表示部材
２８…接着剤
２９…台紙
３０…シート基材
３２…切込み線
３３…折り曲げ部
３５ａ…背表紙部
３５ｂ…表表紙部
８０…ディスク収納ケース
８１…上ケース
８２…下ケース
８３…背面板
８４…側面板
８５…脚片
８６…ピン
８７…ヒンジ機構
８９…開放部
９１…空間部
【図１】
0003968508.tif 000002
【図２】
0003968508.tif 000003
【図３】
0003968508.tif 000004
【図４】
0003968508.tif 000005
【図５】
0003968508.tif 000006
【図６】
0003968508.tif 000007
【図７】
0003968508.tif 000008
【図８】
0003968508.tif 000009
【図９】
0003968508.tif 000010
【図１０】
0003968508.tif 000011
【図１１】
0003968508.tif 000012
【図１２】
0003968508.tif 000013
【図１３】
0003968508.tif 000014
【図１４】
0003968508.tif 000015
【図１５】
0003968508.tif 000016